(57)【要約】【課題】作業者の負担を軽減し、迅速に排水路を遮断することができる水門を提供する。【解決手段】水門１０は、排水路２０を開閉する扉体１１と、この扉体１１を駆動する駆動部１２と、排水路２０を流れる排水２１に油が混入していることを検出する油検出部１３と、油検出部１３の検出結果に応じて、駆動部１２を駆動させて扉体１１により排水路２０を遮断する制御部１５とを備えている。油検出部１３の検出結果に応じて、自動で扉体１１を動作させることができるようになっている。【選択図】図１
0003194711.tif 000002
【実用新案登録請求の範囲】
【請求項１】
排水路を遮断する水門であって、
排水路を開閉する扉体と、
この扉体を駆動する駆動部と、
前記排水路を流れる排水に油が混入していることを検出する油検出部と、
前記排水路を流れる排水に油が混入していることを作業者に知らせる警報部と、
前記油検出部の検出結果に応じて、前記駆動部を駆動させて前記扉体により前記排水路を遮断すると共に、前記警報部により油が混入していることを作業者に知らせる制御部と
を備えたことを特徴とする水門。
【請求項２】
前記油検出部は、レーザー光を照射して排水に油が混入していることを検出するレーザー式油検知器を有することを特徴とする請求項１記載の水門。
【請求項３】
前記レーザー式油検知器はレーザー光照射部を有し、このレーザー光照射部は前記排水路の枡の上に配置されたことを特徴とする請求項２記載の水門。
【考案の詳細な説明】
【技術分野】
【０００１】
本考案は、工場等の排水路に設置して、工場等から油が排出されることを防止する水門に関する。
【背景技術】
【０００２】
工場等からの排水には、油が含まれないように十分に処理がされる。しかし、何らかの理由により排水に油が混入してしまった場合には、油が工場の外に流出しないように、排水路に水門を設置して、排水路を遮断するようになっている。従来は、例えば、排水路に油検知器を設置し、油検知器により油が検知されると、作業員に油が検知されたことを知らせ、作業員が水門に行って水門の扉体を移動させて排水路を遮断するという作業が行われていた。
【先行技術文献】
【特許文献】
【０００３】
【特許文献１】特開２０１３−１８５２９９号公報
【考案の概要】
【考案が解決しようとする課題】
【０００４】
しかしながら、作業員により水門の扉体を移動させて排水路を遮断するのは手間がかかり、２４時間対応することも難しいという問題があった。また、作業員が水門に到着するのが遅れた場合には、工場の外に油が排出されてしまう恐れがあるという問題もあった。
【０００５】
本考案は、このような問題に基づきなされたものであり、作業者の負担を軽減し、迅速に排水路を遮断することができる水門を提供することを目的とする。
【０００６】
なお、特許文献１には、緊急遮断用水門として、１対の立柱の間に複数の遮断板を備え、それぞれの遮断板の設置位置が排水溝の深さ方向に変更できるようになっていて、排水溝の特定の深さ位置に開口部を設けることができるようにしたものが記載されている。しかし、本願考案とは、具体的な構成が全く異なっている。
【課題を解決するための手段】
【０００７】
本考案の水門は、排水路を遮断するものであって、排水路を開閉する扉体と、この扉体を駆動する駆動部と、排水路を流れる排水に油が混入していることを検出する油検出部と、排水路を流れる排水に油が混入していることを作業者に知らせる警報部と、油検出部の検出結果に応じて、駆動部を駆動させて扉体により排水路を遮断すると共に、警報部により油が混入していることを作業者に知らせる制御部とを備えたものである。
【考案の効果】
【０００８】
本考案の水門によれば、油検出部の検出結果に応じて、駆動部を駆動させて扉体により排水路を遮断すると共に、警報部により油が混入していることを作業者に知らせる制御部を備えるようにしたので、扉体を自動で動作させることができる。よって、作業者の負担を軽減することができると共に、迅速に対応することができ、油の流出を防止することができる。
【０００９】
また、油検出部は、レーザー光を照射して排水に油が混入していることを検出するレーザー式油検知器を有するようにすれば、微量の油でも精度よく検出することができるので、油の流出を高い精度で防止することができる。
【００１０】
更に、レーザー光照射部を排水路の枡の上に配置するようにすれば、検出面積及び検出精度を任意に設定することができる。
【図面の簡単な説明】
【００１１】
【図１】本考案の一実施の形態に係る水門の構成を表す図である。
【考案を実施するための形態】
【００１２】
以下、本考案の実施の形態について、図面を参照して詳細に説明する。
【００１３】
図１は、本考案の一の実施の形態に係る水門１０の構成を表すものである。この水門１０は、排水路２０を遮断するものであり、排水路２０を開閉する扉体１１と、この扉体１１を駆動する駆動部１２とを備えている。扉体１１は、排水路２０を開閉することができれば、どのような形状でも、どのような形式でもよい。
【００１４】
この水門１０は、また、排水路２０を流れる排水２１に油が混入していることを検出する油検出部１３と、排水路２０を流れる排水２１に油が混入していることを作業者に知らせる警報部１４とを備えている。通常、排水２１に油が混入した場合、油は排水２１の表面に膜を形成するので、油検出部１３としては、例えば、排水２１の表面に油の膜があるか否かを検出することにより、油の混入を検出するものが好ましい。
【００１５】
具体的には、油検出部１３としては、例えば、レーザー光Ｌを照射して排水２１の表面に油の膜があるか否かを検出することにより、排水２１に油が混入していることを検出するレーザー式油検知器を有していることが好ましい。レーザー光Ｌを利用するレーザー式油検知器は、微量の油でも精度よく検出することができるので好ましいからである。なお、油検出部１３は、場合により、レーザー式油検知器に加えて、濁度計、又は、浮上式油検知器を併用するようにしてもよい。
【００１６】
レーザー式油検知器は、例えば、レーザー光照射部１３Ａを有している。レーザー光照射部１３Ａは、排水路２０の枡２２の上に配置することが好ましい。Ｕ字溝２３の上に配置してもよいが、枡２２の上の方が検出面積及び検出精度を任意に設定することができるからである。なお、排水路２０には、レーザー光Ｌを照射する位置の上流側に、ごみを取るためのごみ取り板１５を配設することが好ましい。ごみにより油の検出精度が低下してしまうことを防止するためである。ごみ取り板１５は、例えば、排水２１の表面側に排水２１の流れを遮断する遮断部１５Ａが設けられ、底側に排水２１を流通させるメッシュ部１５Ｂが設けられたものが好ましい。
【００１７】
油検出部１３は、検出面積のうちの一部でも油の膜を検出した時に、油が混入していると判断するようにしてもよいが、例えば、検出面積のうち検出した油の膜の面積が設定した任意の値以上の場合に、油が混入していると判断するように構成してもよい。誤動作を防止するためである。
【００１８】
警報部１４としては、例えば、光により作業者に警報を知らせる回転灯や表示灯等の警報灯、又は、音により作業者に警報を知らせる警報音発生器が挙げられる。
【００１９】
水門１０は、更に、油検出部１３の検出結果に応じて、駆動部１２を駆動させて扉体１１により排水路２０を遮断すると共に、警報部１４により油が混入していることを作業者に知らせる制御部１６を備えている。これにより、扉体１１を自動で動作させることができるようになっている。具体的には、例えば、油検出部１３が検出の結果に基づき油が混入していると判断した場合に、制御部１６により、扉体１１を制御して排水路２０を遮断し、警報部１４を制御して警報を発するようにしてもよい。
【００２０】
また、油検出部１３の検出結果、例えば、検出面積のうち油の膜の面積に基づき、制御部１６において、油が混入しているか否かを判断し、油が混入していると判断した場合に、扉体１１を制御して排水路２０を遮断し、警報部１４を制御して警報を発するようにしてもよい。その場合、油検出部１３により検出された油の膜の面積が、例えば、設定した任意の値以上である場合に、油が混入していると判断するように構成するようにしてもよい。
【００２１】
この水門１０は、次のように動作する。まず、通常の場合、扉体１１は排水路２０を開放しており、排水２１は排水路２０を流れる。その際、油検出部１３により、排水２１に油が混入しているか否かを検出する。油検出部１３の検出結果に基づき、油検出部１３又は制御部１６により排水２１に油が混入していると判断すると、制御部１６は、駆動部１２を駆動させて扉体１１により排水路２０を遮断し、かつ、警報部１４により警報を発し、油が混入していることを作業者に知らせる。その後、作業者により排水２１への油の混入が改善されると、例えば、作業者は扉体１１を移動させて排水路２０を開放する。
【００２２】
このように本実施の形態によれば、油検出部１３の検出結果に応じて、駆動部１２を駆動させて扉体１１により排水路２０を遮断すると共に、警報部１４により油が混入していることを作業者に知らせる制御部１６を備えるようにしたので、扉体１１を自動で動作させることができる。よって、作業者の負担を軽減することができると共に、迅速に対応することができ、油の流出を防止することができる。
【００２３】
また、油検出部１３は、レーザー光を照射して排水２１に油が混入していることを検出するレーザー光照射部１３Ａを有するようにすれば、微量の油でも精度よく検出することができるので、油の流出を高い精度で防止することができる。
【００２４】
更に、レーザー光照射部１３Ａを排水路２０の枡２２の上に配置するようにすれば、検出面積及び検出精度を任意に設定することができる。
【００２５】
以上、実施の形態及び実施例を挙げて本考案を説明したが、本考案は上記実施の形態及び実施例に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２６】
１０…水門、１１…扉体、１２…駆動部、１３…油検出部、１３Ａ…レーザー光照射部、１４…警報部、１５…ごみ取り板、１５Ａ…遮断部、１５Ｂ…メッシュ部、１６…制御部、２０…排水路、２１…排水、２２…枡、２３…Ｕ字溝
【図１】
0003194711.tif 000003